(57)【要約】【課題】投影される模様に明暗が生じるのを抑え、かつ投影される模様が取り替えられる照明装置を提供する。【解決手段】照明装置１０は、上下方向に導光性を備え、内側面または外側面に光を外側に出射する構造が形成された内側筒状部材１２と、透光性を備える外側筒状部材１４と、内側筒状部材１２と外側筒状部材１４で挟まれた透光性を備えるシート部材１６と、内側筒状部材１２と外側筒状部材１４の上端に装着される蓋部材１８と、内側筒状部材１２と外側筒状部材１４の下端に装着される底部材２０と、蓋部材１８および底部材２０の少なくとも一方に設けられ、上端および下端の少なくとも一方から内側筒状部材１２に光を照射する光源２２を有している。【選択図】図２
0003223313.tif 000002
【実用新案登録請求の範囲】
【請求項１】
上下方向に導光性を備え、光を外側に出射する構造が内側面または外側面に形成された内側筒状部材と、
透光性を備える外側筒状部材と、
前記内側筒状部材と前記外側筒状部材で挟まれたシート部材と、
前記内側筒状部材と前記外側筒状部材の上端に装着される蓋部材と、
前記内側筒状部材と前記外側筒状部材の下端に装着される底部材と、
前記蓋部材および前記底部材の少なくとも一方に設けられ、上端および下端の少なくとも一方から前記内側筒状部材に光を入射する光源と、
を有する照明装置。
【請求項２】
請求項１において、
前記構造が前記外側面に形成されている照明装置。
【請求項３】
請求項１または２において、
前記光源が、上面に発光素子を備える環状の発光装置であり、
前記発光装置が、前記底部材に設けられている照明装置。
【請求項４】
請求項１または２において、
前記光源が、内側面に発光素子を備える環状の発光装置であり、
前記発光装置が、前記底部材に設けられており、
前記発光素子が照射する光を上方に導く光反射部材をさらに有する照明装置。
【請求項５】
請求項１から４のいずれかにおいて、
前記シート部材が、寄木細工から切り出された薄板を備えている照明装置。
【請求項６】
請求項５において、
前記シート部材が、前記薄板の内側に接合された和紙をさらに備えている照明装置。
【考案の詳細な説明】
【技術分野】
【０００１】
本考案は、テーブルライトや寝室の間接照明などとして使用できる照明装置に関するものである。
【背景技術】
【０００２】
電球と、この電球の周囲に設けられ、外表面に絵柄が貼り付けられたアクリル樹脂管を備える照明が知られている。この照明では、電球からの距離に応じて、アクリル樹脂管に投影される絵柄に明暗が生じてしまう。また、アクリル樹脂管に絵柄が貼り付けられているため、絵柄を取り替えるのが困難である。
【考案の概要】
【考案が解決しようとする課題】
【０００３】
本考案はこのような事情に鑑みてなされたものであり、投影される模様に明暗が生じるのを抑え、かつ投影される模様が取り替えられる照明装置を提供することを目的とする。
【課題を解決するための手段】
【０００４】
本考案の照明装置は、上下方向に導光性を備え、光を外側に出射する構造が内側面または外側面に形成された内側筒状部材と、透光性を備える外側筒状部材と、内側筒状部材と外側筒状部材で挟まれた透光性を備えるシート部材と、内側筒状部材と外側筒状部材の上端に装着される蓋部材と、内側筒状部材と外側筒状部材の下端に装着される底部材と、蓋部材および底部材の少なくとも一方に設けられ、上端および下端の少なくとも一方から内側筒状部材に光を入射する光源を有している。
【考案の効果】
【０００５】
本考案の照明装置では、内側筒状部材で上下方向に導かれた光源からの光は、内側筒状部材の内側面または外側面に形成された光を外側に出射する構造によって、内側筒状部材の外側に出射され、シート部材を通過してほぼ均一に外部に照射される。このため、照明装置に投影される模様に明暗が生じるのを抑えられる。また、本考案の照明装置では、シート部材が内側筒状部材と外側筒状部材で挟まれている。このため、シート部材を内側筒状部材または外側筒状部材に接着させる必要がない。したがって、シート部材が容易に交換できる。
【図面の簡単な説明】
【０００６】
【図１】第一実施形態の照明装置の正面図。
【図２】図１のＡ−Ａ線断面図。
【図３】第一実施形態の照明装置のシート部材の正面図。
【図４】第一実施形態の照明装置の発光装置の上面図。
【図５】第二実施形態の照明装置の部分断面図。
【図６】第二実施形態の照明装置の発光装置の上面図。
【考案を実施するための形態】
【０００７】
以下、本考案の照明装置について、図面を参照しながら実施形態に基づいて説明する。なお、図面は、照明装置、照明装置の構成部材、および照明装置の周辺部材を模式的に表したものであり、これらの実物の寸法および寸法比は、図面上の寸法および寸法比と必ずしも一致しない。重複説明は適宜省略する。なお、本願では、便宜上、図２および図５に示す照明装置を基準に、上下および内外などの方向を規定する。
【０００８】
図１は、本考案の第一実施形態の照明装置１０を示している。図２は、図１に示す照明装置１０のＡ−Ａ線断面を、一部を省略して示している。照明装置１０は、内側筒状部材１２と、外側筒状部材１４と、シート部材１６と、蓋部材１８と、底部材２０と、光源である発光装置２２と、電源プラグ２４を備えている。内側筒状部材１２は、例えば、透明なアクリル製部材から構成されており、円筒形状を備えている。これに代えて、内側筒状部材１２は、頂面と底面が多角形の筒状部材であってもよい。また、内側筒状部材１２は、上下方向に導光性を備えている。すなわち、内側筒状部材１２の上端および下端の少なくとも一方から、内側筒状部材１２に光が入射すると、入射した光は内側筒状部材１２の上下方向に導かれる。
【０００９】
内側筒状部材１２は、光を外側に出射する構造が内側面または外側面に形成されている（不図示）。光を外側に出射する構造としては、内側筒状部材１２の内側面に形成されたドット状の光反射層パターンまたはレーザー加工された凹凸形状などが挙げられる。内側筒状部材１２内を上下方向に移動する光は、これらの光反射層パターンまたは凹凸形状などに所定の入射角以上で入射すると反射して、ほぼ均一な光量となって内側筒状部材１２の外側方向に出射する。
【００１０】
光を外側に出射する他の構造としては、内側筒状部材１２の外側面がレーザー加工された凹凸形状などが挙げられる。内側筒状部材１２内を上下方向に移動する光は、この凹凸形状などに所定の入射角以上で入射すると屈折して、ほぼ均一な光量となって内側筒状部材１２の外側方向に出射する。なお、筒形状に加工を施す容易性を考慮すれば、光を外側に出射する構造は、内側筒状部材１２の外側面に形成されていることが好ましい。
【００１１】
外側筒状部材１４は透光性を備えている。外側筒状部材１４は、内側筒状部材１２との間にシート部材１６を挟んで固定できる大きさと形状を備えている。外側筒状部材１４は、例えば、透明なアクリル製部材から構成されている。外側筒状部材１４は、内側筒状部材１２より薄いことが好ましい。内側筒状部材１２とともにシート部材１６を挟めて、かつ多くの光を外側に照射できるからである。
【００１２】
シート部材１６は、内側筒状部材１２と外側筒状部材１４で挟まれており、透光性を備えている。ただし、シート部材１６の透光性は、内側筒状部材１２および外側筒状部材１４の透光性より低くてもよい。内側筒状部材１２の外側に出射された光は、シート部材１６を透過するときに拡散され、その後、外側筒状部材１４を透過して、図１に示す照明装置１０の外部に照射される。このとき、照明装置１０にシート部材１６の模様が投影される。このため、照明装置１０では、明暗がほとんどなく、シート部材１６の意匠を反映した照射光が得られる。このように、照明装置１０では、シート部材１６の模様が十分に認識できるような光が外部に照射される。
【００１３】
シート部材１６は、本実施形態のように、内側筒状部材１２および外側筒状部材１４で単に挟まれていることが好ましい。シート部材１６が容易に交換でき、その時季に応じた、またはそのときの気分に応じたシート部材１６の模様が照明装置１０に投影されるからである。また、接着剤を用いてシート部材１６を内側筒状部材１２の外表面に接着した場合、接着剤層で光が屈折して、照明装置１０に投影される模様に明暗が生じるおそれがあるからである。
【００１４】
シート部材１６は、寄木細工から切り出された薄板を備えていることが好ましい。本実施形態では、シート部材１６が、寄木細工から切り出された薄板である。図３は、本実施形態のシート部材１６の正面を示している。本実施形態では、照明装置１０に寄木細工の模様が環状に投影され、より趣向がある照射光が得られる。シート部材１６は、正面が外側に向くように丸められて、内側筒状部材１２および外側筒状部材１４に挟まれている。なお、シート部材１６は、この薄板の内側に接合された和紙をさらに備えていてもよい。照明装置１０による和風の模様の投影を維持しつつ、寄木細工から切り出された薄板の補強ができるからである。シート部材１６が和紙自体であってもよい。
【００１５】
蓋部材１８は、例えば木製または木質調樹脂製の円板状部材で、下面に円状の溝１８ａを備えている。内側筒状部材１２と外側筒状部材１４の上端は、この溝１８ａに装着されている。底部材２０は、例えば木製または木質調樹脂製の円板状部材で、上面に円状の第一溝２０ａを備えている。内側筒状部材１２と外側筒状部材１４の下端は、この第一溝２０ａに装着されている。このように、シート部材１６が内側筒状部材１２と外側筒状部材１４で挟まれ、内側筒状部材１２と外側筒状部材１４が蓋部材１８の溝１８ａと底部材２０の第一溝２０ａで固定されているので、薄いシート部材１６が円筒形状に維持されたまま固定される。
【００１６】
発光装置２２は、蓋部材１８および底部材２０の少なくとも一方に設けられている。本実施形態では、発光装置２２が底部材２０に設けられている。具体的には、第一溝２０ａの底面の最も内側に円状に形成された第二溝２０ｂに、発光装置２２が設置されている。図４は発光装置２２の上面を示している。環状の発光装置２２は、環状の基台２２ａと、基台２２ａの上面に設けられた発光素子２２ｂを備えている。
【００１７】
なお、発光装置２２が薄い等の理由により、内側筒状部材１２と発光装置２２の間に空間ができる場合は、内側筒状部材１２が第二溝２０ｂに落下しないような部材を設ける。例えば、発光素子２２ｂ，２２ｂ同士の間の基台２２ａの上面に、内側筒状部材１２の第二溝２０ｂへの落下を防ぐ複数のアクリル製小片を設置する。これらのアクリル製小片に代えて、第一溝２０ａの底面に剛性の透明薄板を設置し、内側筒状部材１２、外側筒状部材１４、およびシート部材１６をこの透明薄板の上に載せてもよい。
【００１８】
電源プラグ２４は、家庭用壁電源から発光装置２２に給電するために設けられている。なお、乾電池等を用いて、発光装置２２に給電してもよい。発光装置２２は内側筒状部材１２に光を照射する。そして、内側筒状部材１２でほぼ均一化された光は、内側筒状部材１２から外側に照射され、さらにシート部材１６および外側筒状部材１４を透過して、照明装置１０の外側に照射される。このため、シート部材１６の意匠を反映した趣向がある照射光が得られる。
【００１９】
図５は、本考案の第二実施形態の照明装置３０の一部を示している。照明装置３０の発光装置３２は照明装置１０の発光装置２２に相当するものの、発光装置３２は発光装置２２と異なる。また、照明装置３０は、光反射部材である光反射板３４を備えている。これらを除いて、照明装置３０は照明装置１０と同じである。図６は発光装置３２の上面を示している。環状の発光装置３２は、環状の基台３２ａと、基台３２ａの内側面に発光素子３２ｂを備えている。図５に示すように、発光装置３２は第二溝２０ｂに設置されている。光反射板３４は、第二溝２０ｂに設置されており、発光素子３２ｂから内側に照射された光を上方に導く。
【００２０】
なお、発光装置３２が小さい等の理由により、内側筒状部材１２と発光装置３２の間に空間ができる場合は、内側筒状部材１２が第二溝２０ｂに落下しないような部材を設ける。例えば、基台３２ａの上面に、内側筒状部材１２の第二溝２０ｂへの落下を防ぐ複数のアクリル製小片を設置する。第二溝を断面Ｖ字形状にして、Ｖ字形状の外側斜面に発光装置３２を設置して、発光素子３２ｂからの光が内側上方に照射されるようにし、Ｖ字形状の内側斜面に沿って光反射板３４を設置して、発光素子３２ｂからの光をさらに上方に導くようにしてもよい。
【符号の説明】
【００２１】
１０    照明装置
１２    内側筒状部材
１４    外側筒状部材
１６    シート部材
１８    蓋部材
１８ａ  溝
２０    底部材
２０ａ  第一溝
２０ｂ  第二溝
２２    発光装置
２２ａ  基台
２２ｂ  発光素子
２４    電源プラグ
３０    照明装置
３２    発光装置
３２ａ  基台
３２ｂ  発光素子
３４    光反射板
【図１】
0003223313.tif 000003
【図２】
0003223313.tif 000004
【図３】
0003223313.tif 000005
【図４】
0003223313.tif 000006
【図５】
0003223313.tif 000007
【図６】
0003223313.tif 000008